(57)【特許請求の範囲】
【請求項１】
ポリアミド樹脂、顔料、カップリング剤および下記一般式（Ｉ）：
Ｒ'−ＣO−ＮH−Ｒ−ＮH−ＣO−Ｒ"  （Ｉ）
（式中、Ｒは炭素数１〜４のアルキレン基、Ｒ'、Ｒ"はそれぞれ独立して炭素数９〜１８の脂肪族炭化水素基を表す）で表される化合物を含有してなる着色ポリアミド繊維。
【請求項２】
着色ポリアミド繊維が、平均繊度０．９ｄｔｅｘ以下の極細繊維である請求項１に記載の着色ポリアミド繊維。
【請求項３】
顔料が、ポリアミド樹脂１００質量部に対して１〜３０質量部含まれている請求項１または２に記載の着色ポリアミド繊維。
【請求項４】
顔料が、平均１次粒子径８〜１２０ｎｍのカーボンブラックである請求項１〜３のいずれか１項に記載の着色ポリアミド繊維。
【請求項５】
一般式（I）で表される化合物が、エチレンビスステアリン酸アミドまたはメチレンビスステアリン酸アミドである請求項１〜４のいずれか１項に記載の着色ポリアミド繊維。
【請求項６】
カップリング剤が、チタネート系カップリング剤である請求項１〜５のいずれか１項に記載の着色ポリアミド繊維。
【請求項７】
請求項１〜６のいずれか１項に記載の着色ポリアミド繊維から構成された繊維絡合体を含有する人工皮革。
【請求項８】
請求項７に記載の人工皮革を起毛処理および染色処理してなる立毛調人工皮革。
【請求項９】
ポリアミド樹脂、顔料、カップリング剤および下記一般式（Ｉ）：
Ｒ'−ＣO−ＮH−Ｒ−ＮH−ＣO−Ｒ"  （Ｉ）
（式中、Ｒは炭素数１〜４のアルキレン基、Ｒ'、Ｒ"はそれぞれ独立して炭素数９〜１８の脂肪族炭化水素基を表す）で表される化合物を含有する着色ポリアミド組成物を紡糸する工程を含む着色ポリアミド繊維の製造方法
【請求項１０】
着色ポリアミド組成物を１成分として含む極細繊維発生型繊維を製造し、次いで、該極細繊維発生型繊維を平均繊度０．９ｄｔｅｘ以下の極細繊維にする工程を含む請求項９に記載のポリアミド繊維の製造方法。
【発明の詳細な説明】
【技術分野】
【０００１】
本発明は、高濃度で顔料を含有していても、溶融紡糸時にベンディングや断糸が発生せず、安定に紡糸することができる着色ポリアミド組成物から得られる繊維物性に優れた着色ポリアミド繊維（原着ポリアミド繊維）、その製造方法および該着色ポリアミド繊維から構成された繊維絡合体を用いてなる人工皮革に関する。
【背景技術】
【０００２】
一般に、極細繊維は通常繊度の繊維に比較して染色性が劣るため、極細繊維からなるスエード素材などを染色し、濃色の色目を出そうとした場合には大量の染料を必要とし、耐光堅牢度、染色堅牢度等の品質が低下し、コストが増大するなどの問題がある。これら問題を解決する対策として、極細繊維の原料成分に予め顔料を添加する方法、いわゆる原料着色（原着）と称される方法が一般的に行われている。
しかしながら、０．９ｄｔｅｘ以下、特に０．１ｄｔｅｘ以下のポリアミド極細繊維の発色を充分にするためには、顔料を多量に添加しなければならず、顔料がポリアミドのアミド結合や末端基と相互作用し、部分的に顔料濃度が高くなった溶融物を生じたり、溶融粘度が上昇し、紡糸時の糸切れ、孔詰まり、フィルター詰まりなどによる紡糸性の悪化、繊維物性の低下を余儀なくされている。【０００３】
原着繊維の紡糸性および繊維物性の改良方法としては、脂肪酸アミドを含有させた原着ポリアミドを用いる方法（例えば、特許文献１参照）、ポリアミド樹脂に酸変性ポリオレフィン、酸変性ポリエステルの微粉末を分散させる方法（例えば、特許文献２参照）、ジブチルフタレート吸油量が３０〜６００ｃｍ3／１００ｇであるカーボンブラックを含有させる方法（例えば、特許文献３参照）が提案されている。また、極細原着繊維の紡糸性および繊維物性の改良方法としては、顔料を含有した状態でのメルトフローレートが３〜７ｇ／１０分であるポリアミドを用いる方法（例えば、特許文献４参照）が提案されている。
また、紡糸の記載はないが、顔料を含むポリアミド樹脂の物性、安定性の改良に関しては、ポリアミドの製造時にカーボンブラックを添加しさらに分散剤を添加する方法 （例えば、特許文献５参照）、脂肪酸アミドを含有させた着色ポリアミドを用いる方法（例えば、特許文献６参照）が提案されている。【０００４】
【特許文献１】特開平３−２２０３１３号公報
【特許文献２】特開平８−１５７７１３号公報
【特許文献３】特開２００２−１４６６２４号公報
【特許文献４】特開２００１−２７９５３２号公報
【特許文献５】特公昭５４−３７９９７号公報
【特許文献６】特開昭６１−５５１４６号公報
【０００５】
しかしこれらの分散剤、添加剤を含有するマスターバッチを用いたのでは、０．９ｄｔｅｘ以下、特に０．１ｄｔｅｘ以下の非常に細い極細繊維を製造する場合、濃色化のため着色剤含有率を３％以上にした場合、顔料に粒子径の小さいカーボンブラックを使用した場合に、紡糸口金からのベンディング（溶融紡糸時、溶融ポリマーの流れが曲がる現象）や断糸を避けることができず、実用に耐え得る物性を有する繊維が得られなかった。
【発明の開示】
【０００６】
本発明は上記従来技術の問題を解決するためになされたものであり、その目的は、高濃度で顔料を含有していても、溶融紡糸時にベンディングや断糸が発生せず、安定に紡糸することができる着色ポリアミド組成物から製造することができる繊維物性に優れた着色ポリアミド繊維およびその製造方法を提供することにある。
【０００７】
本発明者等は、鋭意研究を進めた結果、顔料を配合したポリアミド樹脂組成物を紡糸する際、特定の化合物とカップリング剤を併用すると、顔料の濃度を高くしても、ベンディングや断糸が発生せず、紡糸性が良好であり、良好な物性を有する着色ポリアミド繊維が得られることを見出し、本発明を完成した。
【０００８】
すなわち、本発明は、ポリアミド樹脂、顔料、カップリング剤および下記一般式（Ｉ）：
Ｒ'−ＣO−ＮH−Ｒ−ＮH−ＣO−Ｒ"  （Ｉ）
（式中、Ｒは炭素数１〜４のアルキレン基、Ｒ'、Ｒ"はそれぞれ独立して炭素数９〜１８の脂肪族炭化水素基を表す）で表される化合物を含有してなる着色ポリアミド繊維に関する。
本発明は、さらに、上記着色ポリアミド繊維から構成された繊維絡合体を用いてなる人工皮革、ならびに該人工皮革を起毛処理および染色処理してなる立毛調人工皮革に関する。
本発明は、さらに、ポリアミド樹脂、顔料、カップリング剤および下記一般式（Ｉ）：
Ｒ'−ＣO−ＮH−Ｒ−ＮH−ＣO−Ｒ"  （Ｉ）
（式中、Ｒは炭素数１〜４のアルキレン基、Ｒ'、Ｒ"はそれぞれ独立して炭素数９〜１８の脂肪族炭化水素基を表す）で表される化合物を含有する着色ポリアミド組成物を紡糸する工程を含む着色ポリアミド繊維の製造方法に関する。
【発明を実施するための最良の形態】
【０００９】
以下本発明を詳細に説明する。
本発明の着色ポリアミド繊維は、ポリアミド樹脂、顔料、式（Ｉ）の化合物およびカップリング剤を少なくとも含む。
前記ポリアミド樹脂は、ナイロン６、ナイロン６６、ナイロン１２、ナイロン１０、ナイロン６１０、またはこれらの共重合ポリアミド類から選ぶことができる。また、顔料含有マスターバッチによりポリアミド樹脂を着色する場合、マスターバッチに使用するポリアミド樹脂は、着色されるポリアミド樹脂と融点がほぼ同一で化学構造的に類似していることが顔料の分散安定性の点で好ましい。着色されるポリアミド樹脂の数平均分子量は、１１，０００〜２０，０００の範囲が好ましい。数平均分子量が上記範囲であると、繊維物性が良好となり、紡糸、延伸時の延糸性が良好となり糸切れ、毛羽立ちを防止することができる。特に、極細繊維あるいは極細繊維発生型繊維の場合は糸切れ、毛羽立ちがより顕著に発生する傾向にあるので、数平均分子量を上記範囲にするのが好ましい。【００１０】
本発明に使用する顔料としては、アゾ系、フタロシアニン系、ペリレン系、アンスラキノン系などの有機顔料、および、カーボンブラック、ベンガラ、酸化チタン、群青などの無機顔料をあげることができる。極細繊維を工業的に得る最も有力な方法として、極細繊維発生型繊維の一成分を除去もしくは剥離させて極細繊維化する手段が知られている。一般的にそのような極細化処理工程では有機溶剤を使用するため、有機顔料はその一部が溶剤中に溶け出す欠点がある。そのため、無機顔料が好ましく、０．０１ｄｔｅｘ以下の極細繊維を得る場合には、無機顔料のなかでも粒子径の小さいカーボンブラックが紡糸時の糸切れ防止、繊維物性の安定性の点で最適である。【００１１】
カーボンブラックには、チャンネルブラック、フアーネスブラック、サマールブラックなどがあるが、本発明で使用するカーボンブラックはその種類を限定されない。カーボンブラックの平均一次粒径は、８〜１２０ｎｍが好ましく、１５〜３０ｎｍであるのがより好ましい。平均一次粒径が上記範囲内であると、カーボンブラック粒子の２次凝集が阻止され、得られる着色ポリアミド繊維の強力がより向上する。また、着色ポリアミド繊維が濃く着色されるので好ましい。【００１２】
顔料をマスターバッチ化したときの配合量はポリアミド樹脂１００質量部に対して１０〜３５質量部であるのが経済性とマスターバッチ製造安定性の点で好ましく、１５〜３０質量部であることがより好ましい。
本発明において、繊維中の顔料の量は、目的とする繊維の太さにもよるが、着色ポリアミド繊維中のポリアミド樹脂１００質量部に対して１〜３０質量部の範囲が好ましい。配合量が上記範囲内であると、十分な濃さに着色することができ、また、着色ポリアミド繊維が極細繊維であっても、使用に耐える十分な強度を有する。平均繊度が０．９ｄｔｅｘ以下の着色ポリアミド繊維を得る場合、良好な紡糸性、繊維物性および濃色感が同時に得られるので、配合量はポリアミド樹脂１００質量部に対して３〜１５質量部であるのがより好ましく、５〜１２質量部であるのが更に好ましく、６〜１１質量部であるのが特に好ましい。【００１３】
本発明においては、顔料に加えて、下記一般式（Ｉ）：
Ｒ'−ＣO−ＮH−Ｒ−ＮH−ＣO−Ｒ"          （Ｉ）
（式中、Ｒは炭素数１〜４のアルキレン基、Ｒ'、Ｒ"はそれぞれ独立して炭素数９〜１８の脂肪族炭化水素基を表す）
で表される化合物をポリアミド樹脂に配合する。
前記一般式（Ｉ）で表される化合物の具体例としては、メチレンビスステアリン酸アミド、エチレンビスステアリン酸アミド、メチレンビスラウリン酸アミド、エチレンビスラウリン酸アミド、メチレンビスミリスチン酸アミド、エチレンビスミリスチン酸アミド、メチレンビスパルミチン酸アミド、エチレンビスパルミチン酸アミド、メチレンビスオレイン酸アミド、エチレンビスオレイン酸アミド、メチレンビスリノール酸アミド、エチレンビスリノール酸アミド等があげられる。これらの化合物の中で特に好ましいものは、繊維物性および紡糸性の点でメチレンビスステアリン酸アミド、エチレンビスステアリン酸アミドである。
前記一般式（Ｉ）で表される化合物の配合量は、マスターバッチとした場合でポリアミド樹脂１００質量部に対して０．２〜２０質量部であることが好ましい。着色ポリアミド繊維中の最終的な含有割合はポリアミド樹脂１００質量部に対して０．００１〜３質量部が好ましく、０．１〜２．５質量部がより好ましい。【００１４】
カップリング剤を添加することにより、顔料の分散安定性が改善される。本発明で用いることができるカップリング剤としては、シラン系カップリング剤、チタネート系カップリング剤、アルミニウム系カップリング剤等、従来公知のものが挙げられる。【００１５】
具体的には、シラン系カップリング剤としては、ビニルトリクロロシラン、ビニルトリメトキシシラン、ビニルトリエトキシシラン、ビニルトリス（β−メトキシエトキシ）シラン、β−（３，４−エポキシシクロヘキシル）エチルトリメトキシシラン、γ−グリシドキシプロピルトリメトキシシラン、γ−グリシドキシプロピルメチルジエトキシシラン、γ−グリシドキシプロピルトリエトキシシラン、γ−メタクリロキシプロピルメチルジメトキシシラン、γ−メタクリロキシプロピルトリメトキシシラン、γ−メタクリロキシプロピルメチルジエトキシシラン、γ−メタクリロキシプロピルトリエトキシシラン、Ｎ−β−（アミノエチル）−γ−アミノプロピルメチルジメトキシシラン、Ｎ−β−（アミノエチル）−γ−アミノプロピルトリメトキシシラン、Ｎ−β−（アミノエチル）−γ−アミノプロピルトリエトキシシラン、γ−アミノプロピルトリメトキシシラン、γ−アミノプロピルトリエトキシシラン、Ｎ−フェニル−γ−アミノプロピルトリメトキシシラン、γ−クロロプロピルトリメトキシシラン、γ−メルカプトプロピルトリメトキシシラン、γ−ウレイドプロピルトリエトキシシラン等があげられる。【００１６】
チタネート系カップリング剤としては、具体的には、イソプロピルトリオクタノイルチタネート、イソプロピルトリイソステアロイルチタネート、イソプロピルジメタクリルイソステアロイルチタネート、イソプロピルイソステアロイルジアクリルチタネート、イソプロピルトリ（Ｎ−アミノエチル−アミノエチル）チタネート、イソプロピルトリ（ジオクチルホスフェート）チタネート、イソプロピルトリス（ジオクチルパイロホスフエート）チタネート、イソプロピルトリドデシルベンゼンスルホニルチタネート、イソプロピルトリクミルフェニルチタネート、テトライソプロピルビス（ジオクチルホスファイト）チタネート、テトラオクチルビス（ジトリデシルホスファイト）チタネート、テトラ（２，２−ジアリルオキシメチル−１−ブチル）ビス（ジトリデシル）ホスファイトチタネート、ビス（ジオクチルパイロホスフェート）オキシアセテートチタネート、ビス（ジオクチルピロホスフェート）エチレンチタネート等が挙げられる。中でもイソプロピルトリス（ジオクチルパイロホスフエート）チタネートおよびイソプロピルトリドデシルベンゼンスルホニルチタネートが好ましく使用できる。
上記カップリング剤は、単独でもしくは２種以上組み合わせて用いることができる。効果の点で特に好ましいものは、チタネート系カップリング剤である。【００１７】
カップリング剤の添加量は、マスターバッチとした時点でポリアミド樹脂１００質量部に対し、０．３〜５質量部であることが好ましい。上記範囲内であると、紡糸性が良好であり、溶融粘度上昇による紡糸性の低下も生じない。より好ましい添加量は０．５〜３重量部である。着色ポリアミド繊維中の最終的な含有割合はポリアミド樹脂１００質量部に対して０．０５〜２質量部が好ましく、０．１〜１質量部がより好ましい。【００１８】
式（Ｉ）の化合物とカップリング剤の併用による相乗効果の理論は解明されていないが、本発明者らは、式（Ｉ）の化合物はポリアミド溶融物の流動性を改良すると同時にポリアミドと相溶することで、顔料の活性化された部分とポリアミド分子との相互作用を阻害し、かつ、カップリング剤が顔料の活性化された部分と反応してこれをブロックするためと推定している。【００１９】
上記の相乗効果により、顔料が均一に分散されるため、良好な紡糸性を維持しつつ高い着色濃度が得られ、しかも同じ顔料配合量である従来の極細繊維と比較してより高強度の着色ポリアミド繊維を得ることができるのである。【００２０】
なお、着色ポリアミド繊維には、本発明の目的を阻害しない範囲内で、顔料などの他に、必要に応じて、防炎剤、制電剤、易染色剤、滑剤、艶消し剤、酸化防止剤、紫外線吸収剤、減粘剤、増粘剤等の改質剤や、抗菌剤、消臭剤、防黴剤等の機能剤が添加されていてもよい。【００２１】
本発明の着色ポリアミド繊維は、良好な風合と物性を兼ね備えた布帛が得られるので、平均繊度が０．９ｄｔｅｘ以下の極細繊維であることが好ましい。また、良好な繊維物性、風合および発色性を兼ね備える点で０．０００１〜０．９ｄｔｅｘがより好ましく、良好な繊維物性、高い濃色感の着色ポリアミド繊維および風合に優れた人工皮革が得られるので、０．００１〜０．１ｄｔｅｘがさらに好ましく、０．００１〜０．０１ｄｔｅｘが特に好ましい。【００２２】
次に本発明の着色ポリアミド繊維を製造する方法について説明する。
本発明の着色ポリアミド繊維は、極細繊維発生型繊維を極細繊維化する方法、直接紡糸方法等公知の方法によって製造することができる。極細繊維発生型繊維は、２種類以上のポリマー成分が複合化された、海島型、放射型あるいは多層型などの繊維断面形状を有する繊維である。複合紡糸により得られた極細繊維発生型繊維を分割あるいはその構成成分のうち少なくとも１成分を抽出除去することにより着色ポリアミド極細繊維が得られる。また、混合紡糸により得られた海島型極細繊維発生型繊維の海成分を抽出除去することによってもポリアミド極細繊維が得られる。極細繊維発生型繊維の製造および極細繊維化は従来公知の方法で行えばよい。必要に応じて、従来公知の方法で延伸を行うことができ、例えば、極細繊維発生型繊維を２０〜１００℃の温水浴中で１〜５倍延伸してもよい。【００２３】
顔料の配合量を多くした場合、複合紡糸繊維および混合紡糸繊維から少なくとも１成分を抽出除去して得られるポリアミド極細繊維は、強度が大きく低下し、紡糸性が悪化する傾向が特に強い。本発明は、このような複合紡糸繊維および混合紡糸繊維等で代表される極細繊維発生型繊維からポリアミド極細繊維を製造する場合により顕著な効果を発揮する。【００２４】
極細化処理後極細繊維となる成分（極細繊維形成成分）、例えば海島型繊維の島成分は、前記したポリアミド樹脂、顔料、式（Ｉ）の化合物およびカップリング剤を少なくとも含む着色ポリアミド組成物からなる。抽出除去される成分、例えば海島型繊維の海成分は、上記の極細繊維形成成分と混合または複合紡糸可能な熱可塑性樹脂であればよく、好ましくは、熱トルエン、キシレン等で代表されるハロゲン化炭化水素から選ばれた溶剤に可溶な樹脂、例えば、ポリエチレン、ポリプロピレン、ポリブチレン、ポリスチレン、ポリ塩化ビニル等や水に可溶な樹脂例えばポリビニルアルコール系樹脂等があげられる。【００２５】
前記したポリアミド樹脂、顔料、式（Ｉ）の化合物およびカップリング剤を少なくとも含む極細繊維形成成分を有する複合紡糸繊維または混合紡糸繊維を製造する方法としては、ポリアミド樹脂ペレット、顔料、式（Ｉ）の化合物、カップリング剤を上記した配合割合で混合した着色ポリアミド組成物を紡糸する方法、あらかじめ所望量の式（Ｉ）の化合物およびカップリング剤を添加した、顔料を高濃度で含有するポリアミドマスターバッチとポリアミド樹脂ペレットとの混合物を紡糸する方法などがあげられる。製造コスト、繊維組成変更の容易性、作業性などを総合的に判断した場合、後者のマスターバッチをポリアミド樹脂ペレットと混合し紡糸する方法がより好ましい。着色ポリアミド組成物およびマスターバッチとポリアミド樹脂ペレットとの混合物の紡糸は、繊維製造技術分野において公知の方法、公知の紡糸条件で行えばよい。当業者であれば、紡糸方法、紡糸条件を容易に選択、決定することができるので、その詳細はここでは省略する。【００２６】
マスターバッチとポリアミド樹脂ペレットを溶融混練するためには、ナウターミキサー、ダブルコーン式ブレンダー等の回分式混合装置で予めマスターバッチペレットと樹脂ペレットを混合し、次いで溶融押出機で混練する方法や、マスターバッチペレットとポリアミド樹脂ペレットを所定の混合率となるよう別々の計量機から連続的に溶融押出機に供給し混練する方法などを用いることができる。この際、回分式混合装置で溶融前に混合する場合は、溶融押出機の直上に近い位置で混合ペレットを供給するなど、分級による分散斑を低減する工夫をすることが好ましい。【００２７】
次に、前記したポリアミド樹脂、顔料、式（Ｉ）の化合物およびカップリング剤を少なくとも含む極細繊維形成成分が島、ポリエチレンが海である海島型繊維（極細繊維発生型繊維）の短繊維あるいは長繊維から繊維絡合体を形成し、該繊維絡合体を用いて人工皮革を製造する工程を説明する。【００２８】
短繊維ウェッブは、公知の方法、例えば、該海島型繊維をカードで開繊し、ウェッバーを通してランダムウェッブ、クロスラップウェッブにすることにより形成される。長繊維ウェッブは、公知の方法、例えば溶融紡糸と直結したいわゆるスパンボンド不織布製造方法によって効率よく製造することができ、得られた繊維ウェッブを所望の重さおよび厚さに積層する。該海島型繊維は単独で、又はそれ以外の繊維、例えば通常の太さを有する非海島型繊維（例えば、単繊維繊度が０．５〜２ｄｔｅｘの単一成分からなる繊維）と目的に応じて混合してもよい。【００２９】
次いで、繊維ウェッブを公知の方法でニードルパンチ処理し繊維絡合体とする。繊維絡合体を加熱、プレスして所望の厚さに調整した後、該繊維絡合体に弾性重合体を含浸する。含浸する弾性重合体としては従来から人工皮革基体の製造に用いられている樹脂が好適に用いられる。例えばポリウレタン系樹脂、ポリ塩化ビニル樹脂、ポリアクリル酸系樹脂、ポリアミノ酸系樹脂、シリコン系樹脂およびこれらの共重合体、またはこれらの混合物が使用出来るが、凝固により均一なスポンジ構造が得られる点、機械的物性が優れているなどの点からポリウレタン系樹脂が好適に使用される。弾性重合体に、着色剤、凝固調節剤、安定剤、酸化防止剤等を配合してもよい。弾性重合体は、有機溶剤溶液または水系エマルジョンなどの含浸液として繊維絡合体に含浸させる。【００３０】
前記含浸液を繊維絡合体の内部に含浸し、次いで該弾性重合体の非溶剤で処理しあるいは感熱ゲル化して、弾性重合体を凝固させ、必要に応じて洗浄し、乾燥して繊維質基体を得る。弾性重合体の量は、繊維質基体１００質量部に対し固形分として１０〜６０質量部が天然皮革様の風合が得られる点で好適である。弾性重合体の量はそれぞれの用途に応じて変更され、例えばスエード調に仕上げる場合にはソフトな風合と表面の繊維密度を高くする点で１０〜４０質量部が好適な範囲であり、銀面人工皮革に仕上げる場合には表面の平滑性の点で３０〜６０質量部が好適な範囲である。【００３１】
弾性重合体を含浸凝固させて得た繊維質基体を、海島型繊維中のポリアミド樹脂（島成分）及び弾性重合体の非溶剤であり且つポリエチレン（海成分）の溶剤または分解剤である処理液、例えばトルエン、キシレンなどの炭化水素系溶剤で処理することによりポリエチレンを海島型繊維から抽出除去し、本発明の着色ポリアミド極細繊維からなる繊維絡合体と弾性重合体とからなる人工皮革を得る。該人工皮革に、公知の方法により起毛処理を行った後、より好ましくは染色、整毛等の表面仕上処理を施し、立毛調の人工皮革とする。得られた立毛調人工皮革は一般的な染色処理に比べ染料の添加量を減らしても十分に深みのある濃色の表面外観を示す。また、従来公知の技術において、極細繊維内部に顔料を添加したために生じていた、紡糸不良による粒状塊（繊維の融着物）も発生せず、機械物性および各種堅牢性に優れている。また、該人工皮革に、公知の方法にて、表面被覆層を形成することによって、銀面調人工皮革とすることも可能である。本発明の原着極細繊維の特徴を活かすためには、人工皮革または起毛処理した人工皮革の表面に前記含浸樹脂液として用いることの可能な樹脂をグラビア塗布して表面被覆層を形成し、その表面をエンボス処理することによって銀面調人工皮革とするのが好ましい。また、該人工皮革に前記樹脂のフィルムを積層し、さらにエンボス処理することによって、あるいは、表面被覆層を形成することなく該人工皮革の表面をエンボス処理することにより銀面調人工皮革とすることもできる。【００３２】
本発明によれば、高濃度で着色剤を含有しても、溶融紡糸時にベンディングや断糸が発生せず、紡糸時の工程安定性と繊維物性に優れた着色ポリアミド繊維を提供することができる。また、本発明の製造方法によれば、顔料をポリアミド繊維中に均一分散させることができるので、高濃度の顔料を含有する着色極細繊維を安定に製造することが可能である。さらに本発明の着色ポリアミド繊維は、ワイパー、フィルター、人工皮革などの用途に幅広く用いることができる。特に、本発明の低繊度の着色極細繊維を用いて得られた人工皮革、とりわけスエード調やヌバック調など、表面に極細繊維立毛を有するいわゆる立毛調人工皮革は、従来にない高い濃度の着色感を有する。
【実施例】
【００３３】
以下に本発明を実施例で具体的に説明するが、本発明はこれらの実施例に限定されるものではない。なお、実施例中の部及び％は断わりのない限り質量基準である。
各物性は以下のようにして測定した。【００３４】
（１）極細繊維の平均繊度
未延伸海島型繊維束（海成分：ポリエチレン）を温水浴中、延伸温度７０℃で２．０倍に延伸した後、繊維束を枠に固定した。８０℃のトルエン中で繊維からポリエチレンを抽出し、乾燥し、極細繊維束とした。得られた極細繊維束を走査型電子顕微鏡で観察した後、下記式から算出した。
繊維繊度＝Ｄ×（Ｒ／２）2×１０6
但しＲは、極細繊維束中の極細繊維の平均直径（ｃｍ）であり、Ｄは、極細繊維の比重である。
Ｒは次のようにして得た。極細繊維束断面を走査型電子顕微鏡で撮影し、無作為に１０本の極細繊維束を選び出した。各極細繊維束断面から２０本の極細繊維を任意に、かつ、偏ることなく繊維束断面全体から選び出した。選ばれた極細繊維の直径を測定し、それらを平均してＲを得た。【００３５】
（２）断糸率
1トンの糸を紡糸する間に発生した断糸の回数をカウントし、１００ｋｇあたりの断糸回数を断糸率とした。【００３６】
（３）強度
未延伸海島型繊維束をオートグラフを用いて、チャック間１０ｃｍ、ヘッドスピード２０ｃｍ／分の条件で引っ張り、ＪＩＳ１０１３に準じて強度を測定した。【００３７】
（４）伸度
未延伸海島型繊維束をオートグラフを用いて、チャック間１０ｃｍ、ヘッドスピード２０ｃｍ／分の条件で引っ張り、ＪＩＳ１０１３に準じて伸度を測定した。【００３８】
実施例１
数平均分子量１３，０００のナイロン６チップ８０部に、一次粒子径２０ｎｍのカーボンブラックを２０部、エチレンビスステアリン酸アミドを２部、イソプロピルトリイソステアロイルチタネートを０．５部加え、溶融押出機にて２８０℃で溶融混合し、得られたストランドを水冷後カッティングし原着用ポリアミドマスターバッチを得た。
該原着用ポリアミドマスターバッチ２５部、数平均分子量１３，０００のナイロン６チップ２５部と、低密度ポリエチレンチップ５０部をチップブレンダーで混合し、この混合物を、紡糸孔数２４個の通常の溶融紡糸装置を用いて紡糸温度２８０℃で紡糸し、ナイロン６が島でポリエチレンが海となっている繊度が１０．０ｄｔｅｘの未延伸海島型繊維を得た。このときの紡糸断糸率は、１００ｋｇあたり０．１５回程度であった。この未延伸海島型繊維の物性を第２表に示す。
さらに、得られた未延伸海島型繊維を、温水浴中、延伸温度７０℃で２．０倍に延伸することにより、５ｄｔｅｘの延伸海島型繊維を得た。
次いで、この延伸海島型繊維を捲縮、カットし、繊維長さ５１ｍｍのステープルを得た。このステープルをカージングし、重ね合わせてニードルパンチして目付５００ｇ／ｍ2の繊維絡合体を作製した。この繊維絡合体にポリエーテル系ポリウレタンの１５％ジメチルホルムアミド溶液を含浸し、次いで、ジメチルホルムアミド水溶液により湿式凝固した。水洗した後、９０℃トルエンにより海成分のポリエチレンを抽出除去し、目付４５０ｇ／ｍ2、厚み０．９ｍｍの人工皮革を得た。得られた人工皮革の片面をサンドペーパーでバフィングし立毛処理した後、含金属錯塩染料Irgalan Black 2RL（Chiba Geigy社）６ｏｗｆ％にて染色し、揉みおよびブラシがけ処理をし立毛調の人工皮革に仕上げた。得られた立毛調人工皮革は均一な表面を有し十分な黒色に着色されていた。また引裂強力が高く、風合いが柔らかいものであった。このスエードの表面を検査した結果、紡糸不良にともなう欠点（粒状の塊）は見られなかった。【００３９】
実施例２
実施例１に記載の原着用ポリアミドマスターバッチ３０部、数平均分子量１３，０００のナイロン６チップ３０部と、低密度ポリエチレンチップ４０部をチップブレンダーで混合して得た混合物を使用した以外は実施例１と同様にして繊度が１５ｄｔｅｘの未延伸海島型繊維を得た。このときの紡糸断糸率は、１００ｋｇあたり０．１回程度であった。この未延伸海島型繊維の物性を第２表に示す。
実施例１と同様にして立毛調人工皮革に仕上げて表面を検査した結果、紡糸不良にともなう欠点（粒状の塊）は見られなかった。【００４０】
実施例３
実施例１に記載の原着用ポリアミドマスターバッチ２１部、数平均分子量１３，０００のナイロン６チップ３９部と、低密度ポリエチレンチップ４０部をチップブレンダーで混合して得た混合物を使用した以外は実施例１と同様にして繊度１５．０ｄｔｅｘの未延伸海島型繊維を得た。このときの紡糸断糸率は、１００ｋｇあたり０．１回程度であった。この未延伸海島型繊維の物性を第２表に示す。
実施例１と同様にして立毛調人工皮革に仕上げて表面を検査した結果、紡糸不良にともなう欠点（粒状の塊）は見られなかった。【００４１】
実施例４
実施例１に記載の原着用ポリアミドマスターバッチ３６部、数平均分子量１３，０００のナイロン６チップ２４部と、低密度ポリエチレンチップ４０部をチップブレンダーで混合して得た混合物を使用した以外は実施例１と同様にして繊度１５．０ｄｔｅｘの未延伸海島型繊維を得た。このときの紡糸断糸率は、１００ｋｇあたり０．２回程度であった。この未延伸海島型繊維の物性を第２表に示す。
実施例１と同様にして立毛調人工皮革に仕上げて表面を検査した結果、紡糸不良にともなう欠点（粒状の塊）は見られなかった。【００４２】
実施例５
数平均分子量１３，０００のナイロン６チップ８０部に、一次粒子径２０ｎｍのカーボンブラックを２０部、メチレンビスステアリン酸アミドを２部、イソプロピルトリイソステアロイルチタネートを０．５部加え、溶融押出機にて実施例１と同様に溶融混合し、得られたストランドを水冷後カッティングし原着用ポリアミドマスターバッチを得た。
上記ポリアミドマスターバッチ３０部、数平均分子量１３，０００のナイロン６チップ３０部と、低密度ポリエチレンチップ４０部をチップブレンダーで混合して得た混合物を使用した以外は実施例１と同様にして繊度１５.２ｄｔｅｘの未延伸海島型繊維を得た。このときの紡糸断糸率は、１００ｋｇあたり０．１回程度であった。この未延伸海島型繊維の物性を第２表に示す。
実施例１と同様にして立毛調人工皮革に仕上げて表面を検査した結果、紡糸不良にともなう欠点（粒状の塊）は見られなかった。【００４３】
実施例６
数平均分子量１３，０００のナイロン６チップ８０部に、一次粒子径２０ｎｍのカーボンブラックを２０部、エチレンビスステアリン酸アミドを２部、イソプロピルトリ（Ｎ−アミノエチル）チタネートを０．５部加え、溶融押出機にて実施例１と同様に溶融混合し、得られたストランドを水冷後カッティングし原着用ポリアミドマスターバッチを得た。
上記ポリアミドマスターバッチ３０部、数平均分子量１３，０００のナイロン６チップ３０部と、低密度ポリエチレンチップ４０部をチップブレンダーで混合して得た混合物を使用した以外は実施例１と同様にして繊度１４．８ｄｔｅｘの未延伸海島型繊維を得た。このときの紡糸断糸率は、１００ｋｇあたり０．２５回程度であった。この未延伸海島型繊維の物性を第２表に示す。
実施例１と同様にして立毛調人工皮革に仕上げて表面を検査した結果、紡糸不良にともなう欠点（粒状の塊）は見られなかった。【００４４】
実施例７
数平均分子量１３，０００のナイロン６チップ８０部に、一次粒子径２５ｎｍのカーボンブラックを２０部、エチレンビスステアリン酸アミドを２部、イソプロピルトリイソステアロイルチタネートを０．５部加え、溶融押出機にて実施例１と同様に溶融混合し、得られたストランドを水冷後カッティングし原着用ポリアミドマスターバッチを得た。
上記ポリアミドマスターバッチ３０部、数平均分子量１３，０００のナイロン６チップ３０部と、低密度ポリエチレンチップ４０部をチップブレンダーで混合して得た混合物を使用した以外は実施例１と同様にして繊度が１５．１ｄｔｅｘの未延伸海島型繊維を得た。このときの紡糸断糸率は、１００ｋｇあたり０．２回程度であった。この未延伸海島型繊維の物性を第２表に示す。
実施例１と同様にして立毛調人工皮革に仕上げて表面を検査した結果、紡糸不良にともなう欠点（粒状の塊）は見られなかった。【００４５】
実施例８
数平均分子量１３，０００のナイロン６チップ８０部に、一次粒子径２０ｎｍのカーボンブラックを２０部、エチレンビスステアリン酸アミドを２部、ビニルトリエトキシシランを０．５部加え、溶融押出機にて実施例１と同様に溶融混合し、得られたストランドを水冷後カッティングし原着用ポリアミドマスターバッチを得た。
上記ポリアミドマスターバッチ３０部、数平均分子量１３，０００のナイロン６チップ３０部と、低密度ポリエチレンチップ４０部をチップブレンダーで混合して得た混合物を使用した以外は実施例１と同様にして繊度１５．１ｄｔｅｘの未延伸海島型繊維を得た。このときの紡糸断糸率は、１００ｋｇあたり０．２回程度であった。この未延伸海島型繊維の物性を第２表に示す。
実施例１と同様にして立毛調人工皮革に仕上げて表面を検査した結果、紡糸不良にともなう欠点（粒状の塊）は見られなかった。
比較例１〜３
ビス脂肪酸アミド、カップリング剤を表１のように変更する以外は、実施例１と同様の処理を行って、繊度１０．０ｄｔｅｘの未延伸海島型繊維を作製した。これらの紡糸断糸率と未延伸海島型繊維の物性を第２表に示す。
実施例１と同様にして立毛調人工皮革に仕上げて表面を検査した結果、十分な黒色に着色されており、風合いも柔らかいものであったが、紡糸不良にともなう欠点（粒状の塊）が散在していた。【００４６】
【表１】
0004659821.tif 000002
【表２】
0004659821.tif 000003
【産業上の利用可能性】
【００４７】
本発明は、特に低繊度の極細繊維に著しい効果が得られるので、繊細な外観と濃色感を要求されるヌバックあるいはスエードで代表される立毛調人工皮革の製造に広く用いることができる。